(57)【特許請求の範囲】
【請求項１】
相対的な移動によって嵌合・離脱可能なコネクタと相手コネクタとを備えているコネクタ装置であって、前記コネクタは、インシュレータと、第１の方向で所定間隔をもって前記インシュレータに複数を並設した導電性コンタクトとを有し、前記相手コネクタは、相手インシュレータと、前記第１の方向で前記所定間隔をもって前記相手インシュレータに複数を並設した導電性の相手コンタクトとを有し、前記コネクタと前記相手コネクタとが嵌合した状態で、前記コンタクトと前記相手コンタクトとが前記第１の方向を交差する第２の方向で一対一に接触したときに前記コネクタと相手コネクタとの離脱を阻止するようロックするロック機構を有しているコネクタ装置において、
前記ロック機構は、前記相手コンタクトが接触する前記コンタクトの接触部の接触面に形成した凹部と、前記コネクタと前記相手コネクタとが嵌合した状態で前記凹部に係合してロックするよう少なくとも前記凹部に対向する前記相手コンタクトの一つを除いた前記相手インシュレータの対向面に形成した凸部とを有していることを特徴とするコネクタ装置。
【請求項２】
請求項１記載のコネクタ装置において、前記インシュレータは前記接触部に対向している嵌合壁部を有し、前記接触部に対向している前記嵌合壁部の壁面には溝が形成されていることを特徴とするコネクタ装置。
【発明の詳細な説明】
【０００１】
【発明の属する技術分野】
本発明は、嵌合・離脱可能に接続するコネクタと相手コネクタとを嵌合した時にロックするロック機構を有するコネクタ装置に属する。
【０００２】
【従来の技術】
先行技術におけるコネクタ装置は、図６に示すように、相対的な移動によって嵌合・離脱可能なコネクタ２１と相手コネクタ３１とを備えている。コネクタ２１は、インシュレータ２３と、図６に示す第１の方向Ａ（コネクタ２１の長手方向）で所定間隔をもってインシュレータ２３に複数を並設した導電性コンタクト２５とを有している。相手コネクタ３１は、相手インシュレータ３３と、第１の方向Ａで所定間隔をもって相手インシュレータ３３に複数を並設した導電性の相手コンタクト３５とを有している。
【０００３】
図７及び図８は、コネクタ２１と相手コネクタ３１とが嵌合している状態を示している。図７及び図８をも参照して、インシュレータ２３は、長板形状のベース部２３ａと、ベース部２３ａ上へ延びてかつ第１の方向Ａへ長く延びている一対の嵌合壁部２３ｂと、ベース部２３ａ及び一対の嵌合壁部２３ｂを第１の方向Ａの両端で接続している一対の側壁部２３ｃとを有している。ベース部２３ａ、一対の嵌合壁部２３ｂ及び一対の側壁部２３ｃによって囲まれた部分は、嵌合部２６を構成している。
【０００４】
相手インシュレータ３３は、第１の方向Ａへ長くかつ相対向するように形成した一対の第１の相手壁部３３ａと、第１の相手壁部３３ａ間に位置し一対の第１の相手壁部３３ａに対向している第２の相手壁部３３ｂと、第１の相手壁部３３ａ及び第２の相手壁部３３ｂを第１の方向Ａの両端で接続している一対の相手側壁部３３ｄとを有している。一対の第１の相手壁部３３ａ、一対の第２の相手壁部３３ｂ、及び一対の相手側壁部３３ｄによって囲まれた部分は、相手嵌合部３６を構成している。
【０００５】
コンタクト２５は、ベース部２３ａに形成されている保持孔２３ｅへ圧入されて保持した保持部２５ａと、保持部２５ａから嵌合壁部２３ｂの第１の壁面２３ｄに沿って延びている接触部２５ｂと、嵌合壁部２３ｂの先端から第１の壁面２３ｆへ延びている連結部２５ｃと、連結部２５ｃからベース部２３ａの外へ延びている端子部２５ｄとを有している。
【０００６】
従って、コンタクト２５は、嵌合壁部２３ｂの第１の壁面２３ｄから嵌合壁部２３ｂの先端に沿って曲げられて嵌合壁部２３ｂの第２の壁面２３ｆへ沿って延びている。第１の壁面２３ｄは、嵌合時に第２の相手壁部３３ｂに対向し、第２の壁面２３ｆは、第１の相手壁部３３ａに対向する。
【０００７】
相手コンタクト３５は、嵌合時に接触部２５ｂに接触するよう対向する相手接触部３５ａと、相手接触部３５ａの一側へ延びている相手連結部３５ｂと、相手連結部３５ｂから第１の相手壁部３３ａに沿って曲げられて延びて第１の相手壁部３３ａに保持されている相手保持部３５ｃと、相手保持部３５ｃから相手インシュレータ３３の外へ延びている相手端子部３５ｄとを有している。
【０００８】
なお、コネクタ２１は、プリント配線基板のような基板５１に実装され、端子部２５ｄが基板５１の導電部５１ａに接続される。また、相手コネクタ３１は、プリント配線基板のような相手基板６１に実装され、相手端子部３５ｄの相手基板６１の相手導電部６１ａに接続される。
【０００９】
コネクタ装置は、コンタクト２５と相手コンタクト３５とが第１の方向Ａを交差する第２の方向Ｂ（コネクタ２１の長手方向を直交する方向）で一対一に接触したときに、コネクタ２１と相手コネクタ３１との離脱を阻止するようロックするロック機構を有している。
【００１０】
ロック機構は、インシュレータ２３における一対の側壁部２３ｃの外面に二つづつ形成した凹部８１と、相手インシュレータ３３における一対の相手側壁部２３ｄの外面に二つづつ形成した凸部９１とによって構成している。
【００１１】
コネクタ２１と相手コネクタ３１とが嵌合したときには、嵌合時に、一対の側壁部２３ｃの凹部８１と、一対の相手側壁部２３ｄの凸部９１とが係合してロック状態を保つ。
【００１２】
【発明が解決しようとする課題】
しかしながら、先行技術におけるコネクタ装置では、一対の側壁部２３ｃの凹部８１と、一対の相手側壁部２３ｄの凸部９１とによってロック機構を構成しているが、インシュレータ２３にバネ性が得られず、嵌合時、インシュレータ２３にクラックが発生し、相手インシュレータ３３を嵌合・離脱することによって相手インシュレータ３３に設けられている凸部９１が削れてしまい、ロック機能（ロック力が低下）が損なわれるという問題がある。
【００１３】
また、コネクタ２１は、相手インシュレータ３３の凸部９１が削れてしまうので、相手コネクタ３１から浮き出て外れてしまうという問題がある。従って、コネクタ装置は、電気的接続の信頼性に劣るものとなる。
【００１４】
それ故に本発明の課題は、嵌合・離脱によるロック力の低下がなく、インシュレータのクラックの発生を防止でき、相手コネクタの浮き、外れを抑えることができ、さらに電気的特性の信頼性が得られるコネクタ装置を提供することにある。
【００１５】
【課題を解決するための手段】
本発明によれば、相対的な移動によって嵌合・離脱可能なコネクタと相手コネクタとを備えているコネクタ装置であって、前記コネクタは、インシュレータと、第１の方向で所定間隔をもって前記インシュレータに複数を並設した導電性コンタクトとを有し、前記相手コネクタは、相手インシュレータと、前記第１の方向で前記所定間隔をもって前記相手インシュレータに複数を並設した導電性の相手コンタクトとを有し、前記コネクタと前記相手コネクタとが嵌合した状態で、前記コンタクトと前記相手コンタクトとが前記第１の方向を交差する第２の方向で一対一に接触したときに前記コネクタと相手コネクタとの離脱を阻止するようロックするロック機構を有しているコネクタ装置において、
前記ロック機構は、前記相手コンタクトが接触する前記コンタクトの接触部の接触面に形成した凹部と、前記コネクタと前記相手コネクタとが嵌合した状態で前記凹部に係合してロックするよう少なくとも前記凹部に対向する前記相手コンタクトの一つを除いた前記相手インシュレータの対向面に形成した凸部とを有していることを特徴とするコネクタ装置が得られる。
【００１６】
【作用】
本発明のコネクタ装置によると、コネクタと相手コネクタとを嵌合するときには、相手嵌合部の第１の相手壁部と、第２の相手壁部との間にコンタクトを備えている嵌合壁部が入り込む。このとき、凸部は、コンタクトの接触部に形成されている凹部に入り込み係合してロック状態となる。
【００１７】
また、接触部には、溝が形成されているので、接触部の凹部に凸部が入り込むときには、凸部によって接触部２５ｂが押されて入り込み、弾性変形した状態でバネ性をもち係合しロックする。
【００１８】
【発明の実施の形態】
以下、図面を参照して、本発明にかかるコネクタ装置の一実施の形態例を説明する。図１及び図２を参照して、コネクタ装置は、相対的な移動によって嵌合・離脱可能なコネクタ２１と相手コネクタ３１とを備えている。コネクタ２１は、インシュレータ２３と、図１に示す第１の方向Ａ（コネクタ２１の長手方向）で所定間隔をもってインシュレータ２３に複数を並設した導電性コンタクト２５とを有している。相手コネクタ３１は、相手インシュレータ３３と、第１の方向Ａで所定間隔をもって相手インシュレータ３３に複数を並設した導電性の相手コンタクト３５とを有している。
【００１９】
図３は、コネクタ２１と相手コネクタ３１とが嵌合している状態を示している。図３をも参照して、インシュレータ２３は、長板形状のベース部２３ａと、ベース部２３ａ上へ延びてかつ第１の方向Ａへ長く延びている一対の嵌合壁部２３ｂと、ベース部２３ａ及び一対の嵌合壁部２３ｂを第１の方向Ａの両端で接続している一対の側壁部２３ｃとを有している。ベース部２３ａ、一対の嵌合壁部２３ｂ及び一対の側壁部２３ｃによって囲まれた部分は、嵌合部２６を構成している。
【００２０】
相手インシュレータ３３は、第１の方向Ａへ長くかつ相対向するように形成した一対の第１の相手壁部３３ａと、第１の相手壁部３３ａ間に位置し一対の第１の相手壁部３３ａに対向している第２の相手壁部３３ｂと、第１の相手壁部３３ａ及び第２の相手壁部３３ｂを第１の方向Ａの両端で接続している一対の相手側壁部３３ｄとを有している。一対の第１の相手壁部３３ａ、第２の相手壁部３３ｂ、及び一対の相手側壁部３３ｄによって囲まれた部分は、相手嵌合部３６を構成している。
【００２１】
コンタクト２５は、ベース部２３ａに形成されている保持孔２３ｅへ圧入されて保持した保持部２５ａと、保持部２５ａから嵌合壁部２３ｂの第１の壁面２３ｄに沿って延びている接触部２５ｂと、嵌合壁部２３ｂの先端から第１の壁面２３ｆへ延びている連結部２５ｃと、連結部２５ｃからベース部２３ａの外へ延びている端子部２５ｄとを有している。
【００２２】
従って、コンタクト２５は、嵌合壁部２３ｂの第１の壁面２３ｄから嵌合壁部２３ｂの先端に沿って曲げられて嵌合壁部２３ｂの第２の壁面２３ｆへ沿って延びている。第１の壁面２３ｄは、嵌合時に第２の相手壁部３３ｂに対向し、第２の壁面２３ｆは、第１の相手壁部３３ａに対向する。
【００２３】
相手コンタクト３５は、嵌合時に接触部２５ｂに接触するよう対向する相手接触部３５ａと、相手接触部３５ａの一側へ延びている相手連結部３５ｂと、相手連結部３５ｂから第１の相手壁部３３ａに沿って曲げられて延びて第１の相手壁部３３ａに保持されている相手保持部３５ｃと、相手保持部３５ｃから相手インシュレータ３３の外へ延びている相手端子部３５ｄとを有している。
【００２４】
なお、コネクタ２１は、プリント配線基板のような基板５１に実装され、端子部２５ｄが基板５１の導電部５１ａに接続される。また、相手コネクタ３１は、プリント配線基板のような相手基板６１に実装され、相手端子部３５ｄの相手基板６１の相手導電部６１ａに接続される。
【００２５】
コネクタ装置は、コンタクト２５と相手コンタクト３５とが第１の方向Ａを交差する第２の方向Ｂ（コネクタ２１の長手方向を直交する方向）で一対一に接触したときに、コネクタ２１と相手コネクタ３１との離脱を阻止するようロックするロック機構を有している。
【００２６】
図４は嵌合下状態でロックされているコネクタ装置を示している。図４をも参照して、ロック機構は、相手コンタクト３５が接触するコンタクト２５の接触部２５ｂの接触面に形成した凹部２５ｇと、コネクタ２１及び相手コネクタ３１が嵌合した状態で凹部２５ｇに係合してロックするように凹部２５ｇに対向する相手コンタクト３５の少なくとも一つを除いた相手インシュレータ３３の対向面に形成した凸部３３ｇとを有している。
【００２７】
すなわち、この実施の形態例においては、一対の第１の相手壁部３３ａと第２の相手壁部３３ｂとのうち、第１の方向Ａの両端で接続している一対の相手側壁部３３ｄ側の二つづつのコンタクト２５に対向する一対の第１の相手壁部３３ａ′と、第２の相手壁部３３ｂ′との間が狭まっている相手嵌合部３６となっている。
【００２８】
そして、第２の相手壁部３３ｂ′の凸部３３ｇのそれぞれが一対の第１の相手壁部３３ａ′側へ突出している。さらに、図４及び図５によって明らかなように、嵌合壁部２３ｂには、接触部２５ｂに対向する第１の壁面２３ｄに溝２３ｎが形成されている。
【００２９】
今、図５に示すように、コネクタ２１と相手コネクタ３１とを嵌合するときには、相手嵌合部３６の第１の相手壁部３３ａ′と、第２の相手壁部３３ｂ′との間にコンタクト２５を備えている嵌合壁部２３ｂが入り込む。このとき、凸部３３ｇは、コンタクト２５の接触部２５ｂに形成されている凹部２５ｇに入り込み係合してロック状態となる。また、嵌合壁部２３ｂには、溝２３ｎが形成されているので、接触部２５ｂの凹部２５ｇに凸部３３ｇが入り込むときには、凸部３３ｇによって接触部２５ｂが押されて入り込み、バネ性をもった状態で係合しロックされる。
【００３０】
なお、実施の形態例においては、一対の嵌合壁部２３ｂや一対の第１の相手壁部３３ａ，３３ａ′と、第２の相手壁部３３ｂ，３３ｂ′とによって構成したコネクタ装置を示したが、一つの第１の相手壁部３３ａ，３３ａ′と、一つの第２の相手壁部３３ｂ，３３ｂ′との間に一つの嵌合壁部２３ｂを嵌合するようなコネクタ装置にも適用できることは、いうまでもない。
【００３１】
【発明の効果】
以上説明したように、本発明のコネクタ装置では、凹部に対向する相手コンタクトの少なくとも一つを除いた相手インシュレータの対向面に形成した凸部を有し、嵌合壁部に溝が形成されているので、バネ性をもってかつ嵌合・離脱によるロック力の低下がなく、インシュレータのクラックの発生を防止できる。
【００３２】
また、コネクタ装置は、電気的接続をとっていないため、ホールドダウンとして使用が可能となる。
【００３３】
また、コネクタ装置は、相手コネクタの浮きや外れを抑えることができ、電気的特性の信頼性が得られる。
【００３４】
さらに、コネクタ装置は、別金属部品を使用することなく可能であり、経済性に優れたものとなる。
【図面の簡単な説明】
【図１】本発明に係るコネクタ装置の一実施の形態例を分解して示した斜視図である。
【図２】図１に示したコネクタ装置の嵌合状態を示す斜視図である。
【図３】図２のＩＩＩ−ＩＩＩ線断面図である。
【図４】図２のＩＶ−ＩＶ線断面図である。
【図５】図４に示したコネクタ装置の嵌合前の状態を示した断面図である。
【図６】先行技術におけるコネクタ装置を分解して示した斜視図である。
【図７】図６に示したコネクタ装置の嵌合状態を示す斜視図である。
【図８】図７のＶＩＩＩ−ＶＩＩＩ線断面図である。
【符号の説明】
２１    コネクタ
２３    インシュレータ
２３ｂ    嵌合壁部
２３ｃ    側壁部
２３ｎ    溝
２３ｄ    第１の壁面
２３ｆ    第２の壁面
２５    コンタクト
２５ｂ    接触部
２５ｇ    凹部
２６    嵌合部
３１    相手コネクタ
３３    相手インシュレータ
３３ａ，３３ａ′    第１の相手壁部
３３ｂ，３３ｂ′    第２の相手壁部
３３ｄ    相手側壁部
３３ｇ    凸部
３５    相手コンタクト
３５ａ    相手接触部
３６    相手嵌合部
【図１】
0003600981.tif 000002
【図２】
0003600981.tif 000003
【図３】
0003600981.tif 000004
【図４】
0003600981.tif 000005
【図５】
0003600981.tif 000006
【図６】
0003600981.tif 000007
【図７】
0003600981.tif 000008
【図８】
0003600981.tif 000009